(57)【要約】      （修正有）【課題】簡単な構造且つコンパクトで、片方向引き出し操縦性が良い回転型片引き出し式ケーブル収納機構を提供する。【解決手段】回転型片引き出し式ケーブル収納機構は、ケース、回転体２０、ゼンマイ、およびケーブルを有する。ケースは、上カバー１１及びボトムケースを有し、ボトムケースには位置決め軸が形成され、ストッパ５０が取り付けられ、その側縁に挿出穴１０１、１０２が開設される。回転体２０の下端にラチェット状凸台及びボビン２３が成形され、ラチェット状凸台の円周にストッパ５０に対応する止め歯２２１が設けられる。回転体２０は、その上端に巻取り用リング状壁が成形される。ゼンマイは巻取り用リング状壁内に置かれ、その一端が位置決め軸に接続し固定される。ケーブルは、巻取り用リング状壁に巻き付けられ、その両端が挿出穴１０１、１０２を介してケースの外に挿出する。【選択図】図２
0003151862.tif 000002
【実用新案登録請求の範囲】
【請求項１】
回転型片引き出し式ケーブル収納機構において、
互いに組み合わせることが可能なボトムケース及び上カバーを含み、前記ボトムケースに位置決め軸が成形され、前記ボトムケースに動的に調節可能なストッパが取り付けられ、側縁に二つの挿出穴が設けられるケースと、
前記位置決め軸に対応する第一貫通孔が設けられ、且つ差し穴が開設され、上端に巻取り用リング状壁が成形され、下端にラチェット状凸台及びボビンが成形され、ラチェット状凸台の円周に少なくとも二つの止め歯が設けられ、前記止め歯が前記ストッパに対応する回転体と、
前記巻取り用リング状壁内に置かれ、そのインナー付根部が前記位置決め軸に接続して固定されるゼンマイと、
前記巻取り用リング状壁に巻き付けられ、その両端が２つの挿出穴に挿出される線材と、を含む回転型片引き出し式ケーブル収納機構。
【請求項２】
前記ストッパは、前記ボトムケースの円周の両側に２つ配置され、
前記ストッパは、ピン及び捩じればねにより前記ボトムケースに取り付けられ、さらに外側に２つのボタンが付設されることを特徴とする請求項１に記載の回転型片引き出し式ケーブル収納機構。
【請求項３】
前記ゼンマイ上にばねカバーが設けられ、前記ばねカバーに前記位置決め軸に対応する第二貫通孔が設けられることを特徴とする請求項１に記載の回転型片引き出し式ケーブル収納機構。
【請求項４】
前記回転体の上方に線止板が設けられ、前記線止板に前記位置決め軸に対応する第三貫通孔が設けられることを特徴とする請求項１に記載の回転型片引き出し式ケーブル収納機構。
【請求項５】
前記線材は、可動部、導入部及び固定部を有し、
前記可動部は、前記巻取り用リング状壁に巻き付けられ、前記可動部の外端は２つの挿出穴の中の一つを介して前記ケースの外に挿出し、前記可動部の内端は前記差し穴に挿通し前記ボビンに巻き付けられた導入部に接続し、
前記導入部の他端は、前記固定部の内端に接続し、
前記固定部の外端は、もう一つの挿出穴を介して前記ケースの外に挿出していることを特徴とする請求項１に記載の回転型片引き出し式ケーブル収納機構。
【請求項６】
回転型片引き出し式ケーブル収納機構において、
互いに組み合わせるボトムケース及び上カバーを含み、前記ボトムケースに位置決め軸が成形され、前記上カバーの内側に動的に調節可能なストッパが取り付けられ、前記上カバーの側縁上方にダイヤル盤が設けられ、前記ダイヤル盤の下方に押し部材が設けられ、側縁に二つの挿出穴が設けられるケースと、
前記位置決め軸に対応する第四貫通孔が設けられ、上端に上方向へ前記上カバーの内側に挿通するラチェット状凸台を有し、前記ラチェット状凸台の円周に少なくとも二つの止め歯が設けられ、前記止め歯が前記ストッパに対応する回転体と、
前記回転体の下方に設けられ、上端に巻取り用リング状壁が設けられ、前記位置決め軸に対応する第五貫通孔が設けられる第一線載盤と、
前記巻取り用リング状壁に内に置かれるゼンマイと、
前記巻取り用リング状壁に巻き付けられ、その両端が２つの挿出穴に挿出される線材と、を含む回転型片引き出し式ケーブル収納機構。
【請求項７】
前記上カバーの内部にリング状平台が水平に設置され、
前記ラチェット状凸台は、前記リング状平台の内側に貫通し、
前記ストッパは、ピン及び捩じればねにより前記リング状平台に取り付けられることを特徴とする請求項６に記載の回転型片引き出し式ケーブル収納機構。
【請求項８】
前記リング状平台の一部が少なくとも２つの壁を上方向に突出し、前記上カバーの内側に少なくとも２つのスライドレールが形成され、
前記押し部材は、前記スライドレールに摺動可能に設けられ、
前記スライドレールの一端は、前記前記ストッパにそれぞれ対応することを特徴とする請求項６に記載の回転型片引き出し式ケーブル収納機構。
【請求項９】
前記第一線載盤の下方に第二線載盤が設けられ、
前記第二線載盤は、前記位置決め軸に対応する第六貫通孔が設けられることを特徴とする請求項６に記載の回転型片引き出し式ケーブル収納機構。
【請求項１０】
前記ボトムケースの下端にＵ字状クリップが結合されることを特徴とする請求項６に記載の回転型片引き出し式ケーブル収納機構。
【考案の詳細な説明】
【技術分野】
【０００１】
本考案は、電源線や、信号線及びデータ線等の線材（ケーブルやコード）の収納装置に関し、特に、回転型片引き出し式ケーブル収納機構に関するものである。
【背景技術】
【０００２】
電子製品の急速な発展に伴い、様々な電子製品に組み合わせる周辺機器、例えば、電源アダプタや、イヤホン、データ線及びＵＳＢインタフェース変換ケーブル等のような周辺機器が多くなっている。
これらの周辺機器は、いずれも、導電及びデータ信号伝送のための所定長さのケーブルを備えている。ケーブルの長さは、固定されると、異なる距離の様々な場合の要求に適合し難くなる。また、ケーブルの種類が様々で、ケーブルに対し収納処理を行わないと、収納や携帯にとって不便となり、しかも、常に強制的に屈折されると、線材を損傷し易くなる。
そのため、前記問題を解決するため、複数のタイプのケーブル収納装置が開発されている。
しかし、従来技術のケーブル収納機構は、両方向引き出し型にしても、片方向引き出し型にしても、いずれも構造が複雑で、ケーブルの長さに対する調節も様々な異なる要求に満足できず、その操縦性が悪いという技術的課題を有していた。また、従来技術のケーブル収納機構は、機構内部における可動ケーブルと固定ケーブルとの電気的接続方式が、いずれもＰＣＢ板或いは弾性タッチ片の方式であることから、使用過程において摩損されて接触不良になり易く、使用寿命が短かった。
【考案の概要】
【考案が解決しようとする課題】
【０００３】
本考案は、上記技術的課題を解決するためになされたものであり、本考案の目的は、前記従来技術の欠点を避け、簡単な構造で操縦性が良く、使用寿命が長い回転型片引き出し式ケーブル収納機構を提供することにある。
【課題を解決するための手段】
【０００４】
前記技術的課題を解決するためになされた本考案の回転型片引き出し式ケーブル収納機構は、ケースと、ケース内に取り付けられた回転体と、ゼンマイとを含む。
前記ケースは、互いに組み合わせることが可能なボトムケース及び上カバーを含み、前記ボトムケースに位置決め軸が成形され、前記回転体に前記位置決め軸に対応する第一貫通孔が開設され、前記回転体に差し穴が開設され、前記ケースの側縁に二つの挿出穴が開設され、前記回転体の上端に巻取り用リング状壁が成形され、前記ゼンマイが前記巻取り用リング状壁内に置かれ、ゼンマイのインナー付根部が前記位置決め軸に接続して固定され、前記回転体の下端にラチェット状凸台及びボビンが成形され、前記ラチェット状凸台の円周に少なくとも二つの止め歯が設けられ、前記ボトムケースに動的に調節可能なストッパが取り付けられ、該ストッパが前記止め歯に噛合し、線材（ケーブルやコード）は、前記巻取り用リング状壁に巻き付けられ、その両端が２つの挿出穴に挿出される。
また、前記線材は、可動部、導入部及び固定部の三部分からなり、前記可動部は前記回転体上端の巻取り用リング状壁に巻き付けられ、前記可動部の外端は挿出穴を介してケースの外に挿出し、前記可動部の内端は前記差し穴に挿通し前記回転体の下端に巻き付けられた導入部に接続し、前記導入部の他端は前記固定部の内端に接続し、前記固定部の外端はもう一つの挿出穴を介してケースの外に挿出していることが望ましい。
【考案の効果】
【０００５】
本考案による回転型片引き出し式ケーブル収納機構は、従来技術に比べると、以下の効果を有する。
１、簡単な構造になされていると共にコンパクトであり、片方向引き出しの操縦性が良い。
２、ラチェット状凸台の円周に少なくとも２つの止め歯が設けられ、少なくとも２つの長さ調節段を有することに相当し、ユーザは必要に応じてケーブルの長さを調節することができ、使用効果が良い（使い勝手が良い）。
３、ケーブルは、三つの部分に分けられ、可動部が巻き付けられた後に所定長さの導入部であるケーブルを残留し且つ固定部に接続する。そして、引き出し及び収縮過程においてケーブルは基本的に一本の線となるため、摩損され接触不良になる問題が存在せず、使用寿命が長い。
【図面の簡単な説明】
【０００６】
【図１】本考案による回転型片引き出し式ケーブル収納機構を示す斜視図である。
【図２】本考案による回転型片引き出し式ケーブル収納機構を示す横断面図である。
【図３】本考案による回転型片引き出し式ケーブル収納機構を示す縦断面図である。
【図４】本考案による回転型片引き出し式ケーブル収納機構を示す分解斜視図である。
【図５】本考案による回転型片引き出し式ケーブル収納機構を示す横断面図である。
【図６】本考案による回転型片引き出し式ケーブル収納機構を示す縦断面図である。
【図７】本考案による回転型片引き出し式ケーブル収納機構を示す分解斜視図である。
【考案を実施するための形態】
【０００７】
本考案による第一実施例の回転型片引き出し式ケーブル収納機構は、図１〜図４に示すように、円盤形状のケース１０と、ケース１０内に取り付けられた回転体２０と、ゼンマイ３０とを含み、前記ケース１０は、互いに組み合わせることが可能な上カバー１１及びボトムケース１２を含み、前記ボトムケース１２に位置決め軸１２１が成形され、前記回転体２０に前記位置決め軸１２１に対応する第一貫通孔２０１が開設される。
また、前記回転体２０に差し穴２０２が開設され、前記ケース１０の側縁に二つの挿出穴１０１、１０２が開設される。
また、前記回転体２０の上端に巻取り用リング状壁２１が成形され、前記ゼンマイ３０がリング状壁２１内に置かれ、ゼンマイ３０のインナー付根部３１が前記位置決め軸１２１に接続して固定される。さらに、ゼンマイ３０が常に前記巻取り用リング状壁２１内にあることを確保するため、ゼンマイ３０の上端が、ばねカバー４０によりカバーされる。
前記回転体２０の下端には、ラチェット状凸台２２及びボビン２３が成形され、該ラチェット状凸台２２の円周に６つの止め歯２２１が均一に設けられる。
前記ボトムケース１２上に、円周の両側に動的に調節可能なストッパ５０が対称的に取り付けられ、該ストッパ５０が前記止め歯２２１に噛合する。
また、本考案の第一実施例でのストッパ５０の取り付け方について説明すると、図２及び図４に示すように、ストッパ５０は、ピン５１及び捩じればね５２により前記ボトムケース１２に取り付けられ、さらに外側端にボタン６０を付設し、ボタン６０が押されないときに、前記ストッパ５０の先端が前記止め歯２２１に当接し、回転体２０が片方向にしか回転できなくなる（図２に示す方向を参照すると、即ち、回転体２０が逆時計方向にしか回転できず、時計方向の回転が阻止される（後続の説明についての方向は全て図２に示す方向を参照する））。
【０００８】
本考案のケーブルは、可動部９１と、固定部９２と、導入部９３という３つの部分を備えている。
そして、前記可動部９１は、様々な異なる長さの要求に満足できるよう（対応できる）に引き出し及び巻き取りのために用いられ、収納や携帯がし易い。
また、前記固定部９２は、引き出しできず信号源または電源に接続するためのものである（ケース１０から引き出しができないようになされており、信号源または電源に接続されるものである）。
また、前記導入部９３は、可動部９１と固定部９２とを接続し、可動部９１の引き出し及び巻き取りの過程で作動余分を与える役割を果たす。また、前記導入部９３により、引き出し及び巻き取りの過程でケーブルが捩れて収納効果に影響することを避けることができる。
また、前記可動部９１は、前記回転体２０の上端の巻取り用リング状壁２１に巻き付けられ、前記可動部９１の外端は挿出穴１０１を介してケース１０の外に挿出する。また、可動部９１の内端は、前記差し穴２０２に挿通し、前記回転体２０の下端のボビン２３に巻き付けられた導入部９３に接続し、前記導入部９３の他端は前記固定部９２の内端に接続し、固定部９２の外端はもう一つの挿出穴１０２を介してケース１０の外に挿出している。
さらに、ケーブル９０の収納過程がよりスムーズに行えることを確保するための線止板８０が設けられ、線止板８０上に前記位置決め軸１２１に対応する第三貫通孔８１が開設される。
なお、前記可動部９１及び導入部９３は、一本の線材であっても良く、導入部９３は、可動部９１の長さが決められた後に予め残された所定長さの線材に相当する。また、可動部９１は、巻取り用リング状壁２１に巻き付けられた後に、さらに前記差し穴２０２に挿通され、予め残された所定長さの線材（即ち、導入部９３）を前記ボビン２３に巻き付けてから固定部９２に接続する。
図２及び図４に示すように、前記導入部９３及び固定部９２は、線材のタイプ等の要求に対応するプラスチックコネクタ９４に接続できるようになされている。勿論、特別な場合に、前記３つの部分のケーブルは一本の線材であっても良い。
【０００９】
また、図３、図４に示すように、取り付け終了後に、前記ボトムケース１２の位置決め軸１２１は、前記回転体２０の第一貫通孔２０１、ゼンマイ３０、ばねカバー４０の第二貫通孔４１及び線止板８０の第三貫通孔８１を下から上へ順次に挿通する。
【００１０】
また、図１、図４に示すように、本考案では、製品の美観効果を向上させるため、前記上カバー１１にリング状飾り棒１３が設けられる。
【００１１】
前記巻取り用リング状壁２１に巻き付けられたケーブル（即ち、可動部９１）は、引き出し及び巻き戻しでき、その長さは、具体的な要求に応じて任意設計できる。なお、導入部９３の長さは、可動部９１より短い。
また、図２に合せて示すように、使用のときに、ユーザは、長さの要求（所望する長さ）に応じて可動部９１を引き出し、前記回転体２０を逆時計方向に回転するように連動し、これによりゼンマイ３０が圧縮される。
また、適当な長さのケーブルが引き出されてから停止させると、このとき、回転体２０上の止め歯２２１がストッパ５０の先端に当接され（捩じればね５２により、外力が作用しない下に、ストッパ５０の先端が常にラチェット状凸台２２の円周に接近するように付勢される）、ゼンマイ３０の弾力が抵抗され、回転体２０が時計方向に逆戻して回転できなくなるので、引き出されたケーブルが収納されることはない。
また、ユーザがケーブルの使用終了後にボタン６０を押すと、前記ストッパ５０がピン５１を取り囲んで回転し、ストッパ５０の先端が止め歯２２１から離脱され、前記ゼンマイ３０の弾力により、前記回転体２０が時計方向に回転し、ケーブル（可動部９１）が機構内に収納される。
可動部９１の引き出し及び巻き取りの過程において、前記導入部９３も回転体２０の回転に伴い引き出し及び巻き取り動作を繰り返して行い作動余分を与える役割を果すため、引き出し及び巻き取りの過程でケーブルが捩れられ収納効果に影響することを有効に避けることができる。
【００１２】
本考案の第一実施例では、前記止め歯２２１が円周に沿って均一に６つ設けられている。すなわち、第一実施例では、ラチェット状凸台２２の１／６円周毎に一段として線材の長さを引き出し及び巻き取りでき、様々な異なる要求に十分に対応できるようになされている。
もちろん、具体的な要求に応じて８つまたは他の数の止め歯２２１を設置しても良いし、或いは、円周の異なる長さのラチェット状凸台２２を設計しても良い。また、第一実施例では、ストッパ５０が対称的に２つ設けられているため、引き出し及び巻き取り際の定位操縦がより信頼できる。
【００１３】
本考案の他の実施例では、回転型片引き出し式ケーブル収納機構が、図５〜図７に示すようになされている（図面においてゼンマイ及びケーブルを省略）。
本考案の他の実施例と前記実施例との主な差異は、ストッパ５０’の位置、上カバー１１’の構造、回転体２０’のラチェット状凸台２１’の突出方向、及び第一線載盤８０’、第二線載盤７０’及びＵ字状クリップ１３’が増設される点である。
【００１４】
上カバー１１’の内部にリング状平台１１２’が水平に設けられ、リング状平台１１２’の一部が２つの壁１１２１’を上方向に突出し、さらに、上カバー１１’の内側に２つのスライドレール１１２２’が形成されている。
また、２つのスライドレール１１２２’の一端は、ストッパ５０’にそれぞれ対応し、２つの壁１１２１’を上方向に突出されない部分のリング状平台１１２’は、２つのピン１１２３’を有する。
また、上カバー１１’に組み合わせるボトムケース１２’に位置決め軸１２１’が成形されている。また、前記回転体２０’に前記位置決め軸１２１’に対応する第四貫通孔２０１’が開設され、前記回転体２０’の上にばねカバー４０’が設けられる。
【００１５】
また、２つのストッパ５０’は、２つのピン１１２３’及び２つの捩じればね５１’によりリング状平台１１２’に取り付けられる。
回転体２０’のラチェット状凸台２１’は、上方向へ上カバー１１’の内側に挿通される。また、ラチェット状凸台２１’の円周には、少なくとも２つの止め歯２１１’が設けられ、止め歯２１１’がストッパ５０’に噛合する。
【００１６】
また、ダイヤル盤６０’が上カバー１１’の上方に軸設され、ダイヤル盤６０’の上面には凸縞模様６２’が設けられ、ユーザが指でダイヤル盤６０’を引くときのタッチ摩擦力を増加できるようになされている。また、ダイヤル盤６０’には、前記スライドレール１１２２’内に摺動可能に置かれる押し部材６１’が下方向へ２つ凸設されている。
そして、２つの押し部材６１’がスライドレール１１２２’のストッパ５０’にそれぞれ対応する一端までに滑らないときに、ストッパ５０’の先端が止め歯２２１’に当接する。一方、２つの押し部材６１’がスライドレール１１２２’のストッパ５０’にそれぞれ対応する一端までに滑ったときに、押し部材６１’がストッパ５０’を押して、ストッパ５０’が捩じればね５１’による止め歯２１１’への当接力を抵抗し、ストッパ５０’が止め歯２１１’から離脱させるようになる。
【００１７】
また、第一線載盤８０’は、その上端に回転体２０’の下方に接続する巻取り用リング状壁８１’が設けられている。
また、第一線載盤８０’と回転体２０’とが挟む空間は、可動部のケーブル（図示せず）を収納でき、ケーブルは巻取り用リング状壁８１’に巻きつけられる（なお、巻取り用リング状壁８１’の内側にはゼンマイ（図示せず）が置かれる）。
そして、上述したように、ストッパ５０’を止め歯２１１’から離脱させると、回転体２０’が第一線載盤８０’とともに回転し収納の目的を達する。なお、第一線載盤８０’には、位置決め軸１２１’に対応する第五貫通孔８２’が開設されている。
【００１８】
第一線載盤８０’の下方に第二線載盤７０’が設けられ、両者が挟む空間は、固定部のケーブル（図示せず）を収納できる。なお、第二線載盤７０’には、位置決め軸１２１’に対応する第六貫通孔７１’が開設されている。
【００１９】
また、ボトムケース１２’の下端にベルトを挟持するためのＵ字状クリップ１３’が結合され、これにより使用や携帯し易くなっている。
【符号の説明】
【００２０】
１０  円盤形状ケース
１０１、１０２  挿出穴
１１  上カバー
１１’  上カバー
１１２’  リング状平台
１１２１’  壁
１１２２’  スライドレール
１１２３’  ピン
１２  ボトムケース
１２’  ボトムケース
１２１  位置決め軸
１２１’  位置決め軸
１３  リング状飾り棒
１３’  Ｕ字状クリップ
２０  回転体
２０’  回転体
２０１  第一貫通孔
２０１’  第四貫通孔
２０２  差し穴
２１  巻取り用リング状壁
２１’  ラチェット状凸台
２１１’   止め歯
２２  ラチェット状凸台
２２１  止め歯
２３  ボビン
３０  ゼンマイ
３１  インナー付根部
４０  ばねカバー
４０’  ばねカバー
４１  第二貫通孔
５０  ストッパ
５０’  ストッパ
５１  ピン
５１’  捩じればね
５２  捩じればね
６０  ボタン
６０’  ダイヤル盤
６１’  押し部材
６２’  凸縞模様
７０’  第二線載盤
７１’  第六貫通孔
８０  線止板
８０’  第一線載盤
８１  第三貫通孔
８１’  巻取り用リング状壁
８２’  第五貫通孔
９１  可動部
９２  固定部
９３  導入部
９４  プラスチックコネクタ
【図１】
0003151862.tif 000003
【図２】
0003151862.tif 000004
【図３】
0003151862.tif 000005
【図４】
0003151862.tif 000006
【図５】
0003151862.tif 000007
【図６】
0003151862.tif 000008
【図７】
0003151862.tif 000009